(57)【要約】【課題】多種類の質問コンテンツを組み合わせて使用して人材等の分析結果を提供するビジネスを実現する。【解決手段】分析管理サーバ１は、コンテンツ提供装置４から多種多様な質問コンテンツを使用可能とし、クライアント端末３の選択に応じて対象者を分析する出題質問群を登録し、対象者端末２からのアクセスに応じて、クライアント端末３に対応した質問コンテンツに対する回答を得て、分析結果をクライアント端末３に提供する。この分析結果は、異なる質問コンテンツによる回答を組み合わせた内容となる。これにより、コンテンツ使用料及び分析結果閲覧料を分析管理サーバ１にて得ると共に、コンテンツ使用料の一部をコンテンツ提供側にて得る。【選択図】　　　図１
2004110502.tif 000002
【特許請求の範囲】
【請求項１】
回答をした対象者を分析し、分析結果を提供する分析結果提供方法であって、
コンテンツ提供装置からの異なる多数の使用可能な質問コンテンツをクライアントに提示するステップと、
上記クライアントに提示した質問コンテンツのうち、クライアントの選択に従った質問群を認識するステップと、
クライアントにて選択した質問群と、当該クライアントとを対応づけて記憶するステップと、
上記クライアントを識別する情報を含む対象者端末からのアクセスが発生した場合に、上記クライアントと対応づけられた質問群を対象者端末に提示して回答入力を促し、取得した回答に基づいて、異なる質問コンテンツごとの分析結果を組み合わせて参照可能な形態にしてクライアントに提示するステップと
を有することを特徴とする分析結果提供方法。
【請求項２】
回答をした対象者を分析し、分析結果を提供する分析結果提供方法であって、
異なる多数の使用可能なテーマをクライアントに提示するステップと、
上記クライアントに提示したテーマのうち、クライアントの選択に従ったテーマを認識するステップと、
クライアントにて選択したテーマと、当該テーマに登録した複数のクライアントごとに一又は複数の質問群を対応づけて記憶するステップと、
上記テーマを指定した対象者端末からのアクセスが発生した場合に、上記テーマと対応づけられた質問群を対象者端末に提示して回答入力を促し、取得した回答に基づいて、異なる質問コンテンツごとの分析結果を組み合わせて参照可能な形態にして上記テーマに登録した複数のクライアントに提示する処理をするステップと
を有することを特徴とする分析結果提供方法。
【請求項３】
コンテンツ提供装置からの異なる質問コンテンツを多数使用可能として、対象者に提示して多数の質問コンテンツからなる質問群の選択を促すステップと、
対象者端末にて選択した質問群と、当該対象者端末とを対応づけておき、上記対象者が選択した質問群に対する回答入力を促し、取得した回答に基づいて異なる質問コンテンツごとの分析結果を組み合わせて参照可能な形態にして対象者に提示するステップと
を備えることを特徴とする分析結果提供方法。
【請求項４】
質問コンテンツを対象者端末に提示して回答を得た場合の質問群使用料とを対応づけて提示して、質問コンテンツの選択を促すことを特徴とする請求項１〜請求項３の何れかに記載の分析結果提供方法。
【請求項５】
複数の異なる質問コンテンツを使用する場合に質問群使用料を割安にすることを提示することを特徴とする請求項１〜請求項３の何れかに記載の分析結果提供方法。
【請求項６】
質問コンテンツを対象者端末に提示して回答を得た場合の質問群使用料の入金を受けた場合に、当該質問群使用料の一部をコンテンツ提供側に支払う処理をすることを特徴とする請求項１〜請求項３の何れかに記載の分析結果提供方法。
【請求項７】
蓄積した回答に基づく分析結果と対象者を識別する情報とを対応させ、外部から漏洩しない形態にて蓄積するステップと、
外部からの要求に応じて、対象者を識別する情報と共に対象者の分析結果を記した証明書を発行するステップとを更に備えること
を特徴とする請求項１〜請求項３の何れかに記載の分析結果提供方法。
【請求項８】
分析結果に応じて、質問コンテンツを提示する対象者を段階的に選択することをクライアントにて指定可能とする情報をクライアントに提示するステップを更に有することを特徴とする請求項１又は請求項２に記載の分析結果提供方法。
【請求項９】
分析結果に応じて質問コンテンツを提示する対象者を選択し、選択した対象者に異なる質問コンテンツを提示可能とする情報をクライアントに提示するステップを更に有することを特徴とする請求項１又は請求項２に記載の分析結果提供方法。
【請求項１０】
分析結果に応じてクライアント側に情報開示する対象者を段階的に選択することをクライアントにて指定可能とする情報をクライアントに提示するステップを更に有することを特徴とする請求項１又は請求項２に記載の分析結果提供方法。
【請求項１１】
集団に属する対象者端末に質問を提示して回答を促し、対象者端末からの回答を得て、上記集団の格付けの指標とするようにデータ処理をするステップを更に有することを特徴とする請求項１〜請求項３の何れかに記載の分析結果提供方法。
【請求項１２】
上記対象者端末から得た回答に基づいて分析結果を作成したことに応じて、当該対象者の価値の変動を上記クライアントに提示することを特徴とする請求項１又は請求項２に記載の分析結果提供方法。
【請求項１３】
コンテンツ提供装置からの異なる多数の使用可能な質問コンテンツをクライアントに提示する第１ステップと、
上記クライアントに提示した質問コンテンツのうち、クライアントの選択に従った質問群を認識する第２ステップと、
クライアントにて選択した質問群と、当該クライアントとを対応づけて記憶する第３ステップと、
上記クライアントを識別する情報を含む対象者からのアクセスが発生した場合に、上記クライアントと対応づけられた質問群を対象者に提示して回答入力を促して、回答を取得する第４ステップと
第４ステップにて取得した回答に基づく分析結果と対象者を識別する情報とを対応させ、外部から漏洩しない形態にて蓄積しておき、外部からの要求に応じて、対象者を識別する情報と共に対象者の分析結果を記した証明書を発行する第５ステップと
を有することを特徴とする分析結果提供方法。
【請求項１４】
異なる多数の使用可能なテーマをクライアントに提示する第１ステップと、
上記クライアントに提示したテーマのうち、クライアントの選択に従ったテーマを認識する第２ステップと、
クライアントにて選択したテーマと、当該クライアントとを対応づけて記憶する第３ステップと、
上記テーマを指定した対象者端末からのアクセスが発生した場合に、上記テーマと対応づけられた質問群を対象者に提示して回答入力を促して、回答を取得する第４ステップと
第４ステップにて取得した回答に基づく分析結果と対象者を識別する情報とを対応させ、外部から漏洩しない形態にて蓄積しておき、外部からの要求に応じて、対象者を識別する情報と共に対象者の分析結果を記した証明書を発行する第５ステップと
を有することを特徴とする分析結果提供方法。
【請求項１５】
回答をした対象者を分析し、分析結果を提供するシステムであって、
コンテンツ提供装置からの異なる質問コンテンツを多数使用可能とする手段と、
使用可能とされた質問群のうちクライアントにて選択した質問群と、当該クライアントとを対応づけて記憶する手段と、
上記クライアントを識別する情報を含む対象者端末からのアクセスが発生した場合に、上記クライアントと対応づけられた質問群を対象者端末に提示して、質問群に対する回答を促して回答を蓄積し、蓄積した回答に基づいて、異なる質問コンテンツごとの分析結果を組み合わせて参照可能な形態にデータ処理をする手段と
を備えることを特徴とする分析結果提供システム。
【請求項１６】
回答をした対象者を分析し、分析結果を提供するシステムであって、
コンテンツ提供装置からの異なる質問コンテンツを多数使用可能とする手段と、
テーマに登録した複数のクライアントごとに一又は複数の質問群を対応づけて記憶する手段と、
上記テーマを指定した対象者端末からのアクセスが発生した場合に、上記テーマと対応づけられた質問群を対象者端末に提示して、質問群に対する回答を促して回答を蓄積し、蓄積した回答に基づいて、異なる質問コンテンツごとの分析結果を組み合わせて上記テーマに登録した複数のクライアントの端末に参照可能な形態にデータ処理をする手段と
を備えることを特徴とする分析結果提供システム。
【発明の詳細な説明】
【０００１】
【発明の属する技術分野】
本発明は、異なる質問コンテンツを用いて質問をし、その質問に基づいた回答を得て分析をし、分析結果をクライアント又は回答者に提供する分析結果提供方法、分析結果提供システムに関する。
【０００２】
【従来の技術】
従来より、例えば、人材と企業等との適合度を診断するシステムでは、人材を分析、評価、診断するに際して分析対象者に設問を提示して回答の入力を促し、回答結果に基づいて分析希望者と企業とをマッチングさせるものが知られている。
【０００３】
【特許文献１】
特開２００２−３２４６２号公報
【０００４】
【発明が解決しようとする課題】
しかし、従来では、企業が人材評価する際に、各質問コンテンツ提供側（企業・人）から各々の質問コンテンツを受けていたため、異なる質問コンテンツ提供企業側が提供した多種類の質問コンテンツの中から比較検討して最適な質問コンテンツを選択し、異なるコンテンツ提供側からの多種類の質問コンテンツに対する回答を組み合わせて分析することはなされていなかった。
【０００５】
そこで、本発明は、上述した実情に鑑みて提案されたものであり、人材等を分析するに際して、複数のコンテンツ提供側からの多種多様の質問コンテンツを組み合わせることができるビジネスを実現するための分析結果提供方法、分析結果提供システムを提供することを目的とする。
【０００６】
【課題を解決するための手段】
本発明は、回答をした対象者を分析し、分析結果を提供する分析結果提供方法であって、コンテンツ提供装置からの異なる多数の使用可能な質問コンテンツ又はテーマをクライアントに提示するステップと、上記クライアントに提示した質問コンテンツ又はテーマのうち、クライアントの選択に従った質問群を認識するステップと、クライアントにて選択した質問群と、当該クライアントとを対応づけて記憶すると共に、テーマに登録した複数のクライアントごとに一又は複数の質問群を対応づけて記憶するステップと、上記クライアントを識別する情報を含む対象者端末からのアクセスが発生した場合に、上記クライアントと対応づけられた質問群を対象者端末に提示して回答入力を促し、取得した回答に基づいて、異なる質問コンテンツごとの分析結果を組み合わせて参照可能な形態にしてクライアントに提示する処理、又は上記テーマを指定した対象者端末からのアクセスが発生した場合に、上記テーマと対応づけられた質問群を対象者端末に提示して回答入力を促し、取得した回答に基づいて分析結果を作成して上記テーマに登録した複数のクライアントの端末に提示する処理をするステップとを有する。これにより、対象者の回答に基づいた分析結果をクライアントに提示して利益を得、更に、コンテンツ提供側では質問コンテンツが使用されたことに応じた利益を得る。
【０００７】
また、本発明に係る分析結果提供方法、分析結果提供システムでは、各種処理を実行するプログラムをサーバに蓄積しておくと共に、クライアント側でサーバの処理に応じた各種情報を表示すると共にサーバに各種情報を送るプログラムを実装することにより、上述の処理を実行する。
【０００８】
【発明の実施の形態】
以下、本発明の実施の形態について図面を参照して説明する。
【０００９】
本発明は、例えば図１に示すような分析結果提供システムに適用される。この分析結果提供システムは、企業等をクライアントとし、この登録したクライアントからの依頼を受け、クライアントが回答を要求する対象者を分析し、分析結果をクライアントに提供するものである。分析結果提供システムでは、複数のコンテンツ提供側（企業・人）から多種多様な質問コンテンツを収集し、クライアントを登録するときに、クライアントに使用する質問コンテンツを選択させ、クライアントが回答を要求する対象者からのアクセスが発生した場合に選択された質問コンテンツを対象者に提示して回答を得て、分析結果をクライアントに提示する。なお、クライアントでは、一度選択した質問コンテンツを必要に応じて何時であっても変更可能である。
【００１０】
このような分析結果提供システムでは、例えば、就職希望者を対象者にしてクライアントにて新卒・中途採用を検討する場合、従業員や役員の能力等を分析して企業内の組織等を評価する場合、学校の生徒や先生のレベルを診断する場合等に使用される。
【００１１】
また、対象者が使用する端末としては、対象者や企業、学校が保有するパーソナルコンピュータは勿論のこと、公共機関が運営する就職仲介団体や学校の就職仲介機関やその他の信頼性のある民間機関が保有するパーソナルコンピュータであっても良い。このように公共機関や学校にて保有するパーソナルコンピュータを使用して対象者を分析することで分析結果の信頼性を保持させる。
【００１２】
すなわち、所謂ネット受診に特有な対象者のなりすましや、一人の対象者にて受診するように見せかけて実際には複数人にて受診する不正が発生することにより分析結果の信憑性が無くなることを防止する。これにより、以下に述べる分析結果提供システムでは、ネット受診の普及を図ることができ、分析結果を受ける側（例えばクライアント）の信頼性を確保する。また、以下に述べる分析結果提供システムでは、分析を要求する側にて試験会場を設定したりする手間を省かせると共に、対象者が試験等を受けるに際して試験会場に足を運ぶなどの労力を低減することができる。
【００１３】
ここで、公共機関が運営する就職仲介団体の対象者としては中途就職希望者等が挙げられ、学校の就職仲介機関の対象者としては新卒就職希望者が挙げられる。このような場合、公共機関が運営する就職仲介団体や学校の就職仲介機関がコンテンツ提供側からのコンテンツを保有している場合でも後述の分析管理サーバ１を利用することができる。
【００１４】
対象者を分析するのに使用される質問コンテンツとしては、対象者の能力を分析する各種試験、検定、診断、検査、学習や、アンケートなどがある。
【００１５】
［分析結果提供システムの構成］
この分析結果提供システムは、分析管理サーバ１に対象者端末２、クライアント端末３及びコンテンツ提供装置４が通信回線を介して接続されて構成されている。なお、図１においては、単一の対象者端末２、クライアント端末３及びコンテンツ提供装置４を示しているが、実際には複数の対象者端末２、クライアント端末３及びコンテンツ提供装置４が分析管理サーバ１に接続されているものとして説明する。
【００１６】
対象者端末２は、例えばパーソナルコンピュータからなり、対象者が操作することに応じて各種情報を生成して、分析管理サーバ１に送信する。この対象者端末２は、対象者が操作するためのキーボードやマウス等の操作入力機能、質問コンテンツ等を対象者に提示するための表示機能、操作された内容に応じて各種演算をする演算機能、各種情報を格納する記憶機能、通信回線を介して分析管理サーバ１との間で情報の送受信をするための送受信機能を有する。
【００１７】
クライアント端末３は、例えばパーソナルコンピュータからなり、分析管理サーバ１に対するクライアントに所属する人事担当者等により操作される。このクライアント端末３は、人事担当者が操作するためのキーボードやマウス等の操作入力機能、各種内容を人事担当者に提示するための表示機能、操作された内容に応じて各種演算をする演算機能、通信回線を介して分析管理サーバ１との間で情報の送受信をするための送受信機能、分析管理サーバ１での分析結果等を閲覧する閲覧機能を有する。
【００１８】
コンテンツ提供装置４は、例えば語学力テストや入試・模試等の試験コンテンツ、ビジネス資質や、適職・適性診断等の診断コンテンツ、中小企業診断士等の資格コンテンツ、簿記検定等の検定コンテンツ、能力検査や知力検査等の検査コンテンツ、電気通信技術を利用した所謂ｅ−ラーニング等の学習コンテンツ、顧客満足度アンケートや従業員満足度アンケート等のアンケートコンテンツを有する様々なコンテンツ提供側により操作される。したがって、各コンテンツ提供装置４にて保持している質問コンテンツは、データフォーマット、表示フォーマットや、ＯＳ等のプラットフォーム等が様々な形態となっている。
【００１９】
このコンテンツ提供装置４は、分析管理サーバ１を管理する管理者からコンテンツ使用料を得ることを目的として、分析管理サーバ１に質問コンテンツを送る。このように分析管理サーバ１では、複数のコンテンツ提供装置４からの多種多様の質問コンテンツを使用可能とし、質問コンテンツが使用されたことに応じてコンテンツ提供装置４側に支払いをする。分析管理サーバ１にて使用可能とするとは、コンテンツ提供装置４にて保持している質問コンテンツや、対象者端末２がコンテンツ提供装置４にアクセス可能なＵＲＬ等を蓄積することである。
【００２０】
クライアントでは、対象者を分析するための質問コンテンツを選択する。そして、クライアント端末３では、質問コンテンツを使用して対象者端末２からの回答情報に基づく分析結果を得ると、質問コンテンツを使用したことによるコンテンツ使用料、分析結果を得たことによる分析結果閲覧料を分析管理サーバ１側に支払う。このとき、分析管理サーバ１側又は管理者では、クライアント端末３からコンテンツ使用料の一部をコンテンツ提供装置４に支払いをする。
【００２１】
分析管理サーバ１は、各種のプログラム間にて情報の受け渡しをすることで、図１に示すような機能を実現する。なお、図１では、各種プログラムをハードディスク等に格納しておき、動作時に各種プログラムをＲＡＭ（Ｒａｎｄｏｍ　Ａｃｃｅｓｓ　Ｍｅｍｏｒｙ）に読み出してＣＰＵ（Ｃｅｎｔｒａｌ　Ｐｒｏｃｅｓｓｉｎｇ　Ｕｎｉｔ）や通信インターフェース回路によりプログラムを実行することで実現する機能を示している。
【００２２】
［分析管理サーバ１の具体的な構成］
この分析管理サーバ１は、コンテンツ提供装置４からの質問コンテンツを受信して登録する質問登録処理部１１を備える。この質問登録処理部１１は、質問コンテンツをデータベース記憶部１２に登録するに際して、コンテンツ提供側を識別する情報、コンテンツ使用料を示す情報及び質問コンテンツを対応づける。
【００２３】
出題質問群選択登録処理部１３は、データベース記憶部１２に登録して使用可能とした質問コンテンツの閲覧がクライアント端末３から要求されることに応じて、質問コンテンツ一覧をクライアント端末３に提示する。この時、出題質問群選択登録処理部１３は、質問コンテンツの名称、質問コンテンツの評価及び特徴、問題数及び所要時間、コンテンツ使用料などを関連づけて提示する。
【００２４】
また、データベース記憶部１２に複数の異なる質問コンテンツを同時に使用する場合にコンテンツ使用料を割安にするセット料金や、同じ質問コンテンツを使用する対象者数に応じて１回当たりのコンテンツ使用料を割安にするパック料金、更には、各質問コンテンツの評価や、各質問コンテンツごとの使用数等も合わせてデータベース記憶部１２に登録しておき、クライアントに提示しても良い。
【００２５】
また、同一の分析結果（単一の質問コンテンツを使用した分析結果、複数の質問コンテンツを使用した分析結果の双方を含む。）を多数のクライアントに提示することを条件として分析結果閲覧料を割安にする料金体系をデータベース記憶部１２に登録して、必要に応じて提示しても良い。更に、ランキング等の分析結果の内容によって情報開示料金を設定しても良く、この場合には例えばランキング上位の対象者についての情報開示料金を高く設定しても良く、更には対象者ごとに情報開示をする順番によって料金設定をし、所謂オークション形式にて情報開示料金を設定しても良い。
【００２６】
更に、分析結果に応じて段階的に質問コンテンツを使用する対象者をクライアントにて選択することを指定可能な情報を提示しても良い。具体的には、例えば複数の対象者を分析する場合などに、質問コンテンツＡにより１０００人の対象者を分析し、当該１０００人の対象者のうち上位３００人を質問コンテンツＢにより分析し、更に当該３００人の対象者のうち上位１００人を質問コンテンツＣにより分析することをクライアントにて指定可能とする。これにより、１０００人の対象者に質問コンテンツＡ、Ｂ、Ｃの全部を受けさせることなく、クライアント側の質問コンテンツ使用料を段階的に選択させることができる。
【００２７】
また、複数の対象者の分析結果が存在する場合、分析結果に応じて質問コンテンツを提示する対象者を選択し、選択した対象者に異なる質問コンテンツを提示可能とする情報をクライアントに提示しても良い。これにより、分析結果をクライアントに参照した上で、その対象者の分析結果に応じた異なる質問コンテンツを提示して回答を得ることができる。また、単一の対象者である場合にも、ある質問コンテンツの分析結果に応じて、次に提示する質問コンテンツを変更することを提示しても良い。
【００２８】
更に、複数の対象者の分析結果が存在する場合、対象者の分析結果を選択して段階的に開示することを指定可能であることをクライアントに提示しても良い。例えばテーマごとに分析する場合などに、質問コンテンツＡ，Ｂ，Ｃを１０００人の対象者が受けた場合に、質問コンテンツＡの分析結果については１０００人分を開示し、当該１０００人のうち上位３００人についてのみ質問コンテンツＢの分析結果を開示し、更に当該３００人のうち上位１００人についてのみ質問コンテンツＣの分析結果を開示することをクライアントにて指定可能とする。これにより、クライアントの情報開示に係る料金を抑制させることができる。また、この場合では、回答をする対象者を段階的に選択する場合と比較して、１０００人の対象者にそれぞれ３つの質問コンテンツを受けさせることにより、迅速に対象者の分析結果をクライアント側に閲覧させることができる。このように分析結果を開示する場合、質問コンテンツＡ，Ｂ，Ｃの全部に対する回答を分析管理サーバ１に送っていない対象者が存在時には全員又は開示対象者に対して回答の送信を促すようにする。
【００２９】
出題質問群選択登録処理部１３は、質問コンテンツ一覧を提示したことに応じて、クライアント端末３から質問コンテンツを選択したことを検出すると、複数の質問コンテンツからなる出題質問群としてデータベース記憶部１２に登録する。この時、出題質問群選択登録処理部１３では、クライアント端末３を識別する情報と、クライアント端末３にて選択した出題質問群とを対応づける。
【００３０】
このような状態では、データベース記憶部１２には、質問コンテンツとコンテンツ提供側とを対応づけた質問データベース、質問コンテンツとクライアント端末３側とを対応づけたクライアントデータベースが構築された状態になる。
【００３１】
クライアント端末３は、対象者端末２からのアクセスを受けて対象者に質問を受けさせるに際して、質問内容を閲覧するためのＵＲＬ（Ｕｎｉｆｏｒｍ　Ｒｅｓｏｕｒｃｅ　Ｌｏｃａｔｏｒ）、分析管理サーバ１にアクセスするためのパスワード及びＩＤ、クライアントを識別するための企業ＩＤ等を含む分析情報を対象者端末２に送る。
【００３２】
対象者端末２では、分析情報を受信すると、この分析情報を使用して分析管理サーバ１にアクセスし、質問に対する回答情報を分析管理サーバ１に送る。すると、分析管理サーバ１では、出題処理部１４により質問内容を対象者端末２に提示してこの質問に対する回答情報を回答登録処理部１５にて受信する。そして、回答登録処理部１５では、質問コンテンツに含まれる各質問と回答情報と逐次対応づけてデータベース記憶部１２に登録する。
【００３３】
そして、クライアント端末３が要求する質問に対する全回答情報をデータベース記憶部１２に蓄積すると、この回答情報に基づいて分析結果出力処理部１６にてクライアント端末３に分析結果を提示するためのデータ処理をして、クライアント端末３からの要求に従って分析結果を提示する。
【００３４】
このとき、分析結果出力処理部１６は、例えばマトリクス、グラフ、チャート、ランキング形式などの形態にするデータ処理をする。このデータ処理としては、各質問コンテンツの回答に基づく素点（点数）や他の対象者の点数を用いた偏差値、複数の異なる質問コンテンツを組み合わせて受診した場合の点数や他の対象者の点数を用いた偏差値を求める処理等をする。また、このデータ処理は、クライアントにて分析結果を用いた条件検索や複合分析等をできるようにする。このデータ処理は、分析管理サーバ１内のみで行っても良く、更にはクライアント端末３のみ、又は、分析管理サーバ１及びクライアント端末３で行っても良い。
【００３５】
具体的には、例えばＩＴ業界の人材を分析する場合に、ＺＺ社の一般常識、ＪＪ社の技術診断の２種の質問コンテンツを対象者Ａ〜Ｓに提示して回答を得た場合、図２の偏差チャートに示すように、横軸を一般常識の偏差値とし、縦軸に技術診断の偏差値とし、個々の対象者Ａ〜Ｓごとにプロットした分析結果を作成する。図２によれば、複数の対象者Ａ〜Ｓの一般常識及び技術診断の偏差値の分布を組み合わせてクライアントに提示することができる。
【００３６】
また、例えば図２に示す偏差チャートを限られた対象者Ａ〜Ｓで偏差値を求めたときの分析結果とし、偏差値を算出する範囲を対象者Ａ〜Ｓ以外のＩＴ業界のトップパフォーマに対象者を広げて対象者Ａ〜Ｓと比較して分析した場合には、同じ対象者Ａ〜Ｓであっても、図３に示すように、一般常識の偏差値及び技術診断の偏差値が低下することがわかる。すなわち、分析管理サーバ１では、データベース記憶部１２に対象者Ａ〜Ｓの分析結果のみならず、トップパフォーマ等の他の分析結果を蓄積しておいて、比較した分析結果を作成することができる。
【００３７】
また、分析管理サーバ１は、一般常識や技術診断を複数のカテゴリに分割し、図４に示すカテゴリチャートを分析結果として作成しても良い。この場合、例えば一般常識を経済、政治、社会、文化、国際情勢、教養に分割し、技術診断をネットワーク、データベース、セキュリティ、コミュニケーション、コンサルティング、プロジェクトマネジメントのカテゴリに分割する。このカテゴリチャートは、カテゴリ別偏差値として、一般常識及び技術診断を構成する要素ごとに５段階で表現する。
【００３８】
このように、分析結果出力処理部１６では、異なる質問コンテンツごとの分析結果を組み合わせて参照可能な形態にする。また、異なる質問コンテンツごとの分析結果を組み合わせて参照可能な形態にする他の処理としては、例えば対象者Ａ〜Ｓに関して、一般常識の素点・偏差値ランキング、技術診断の素点・偏差値ランキング、一般常識及び技術診断の合計ランキング等を別個に同一プラットフォームにて参照可能な形態にすることも含む。
【００３９】
［分析結果提供システムによる分析処理］
つぎに、上述したように構成された分析結果提供システムによる分析処理の一例について図５を参照して説明する。
【００４０】
分析処理を行うに際して、先ず、コンテンツ提供装置４から分析管理サーバ１に質問コンテンツＳ１を送る。すると、分析管理サーバ１では、質問登録処理部１１にてデータベース記憶部１２に質問コンテンツＳ１を登録する（ステップＳＴ１１）。この処理は、コンテンツ提供装置４から質問コンテンツＳ１を登録する要求が発生するごとに、随時実行される。これにより、データベース記憶部１２には、異なるコンテンツ提供側からの多種多様な質問コンテンツＳ１が蓄積されることになる。ここで、質問コンテンツＳ１を直接データベース記憶部１２に蓄積する場合のみならず、コンテンツ提供装置４の質問コンテンツを使用可能とするＵＲＬ等を蓄積しても良い。
【００４１】
そして、クライアント端末３から分析管理サーバ１に質問コンテンツＳ１を使用する問い合わせＳ２が送られると、出題質問群選択登録処理部１３により、図６に示すような、登録されている質問コンテンツの種類を通知するための質問一覧情報Ｓ３をデータベース記憶部１２から読み出してクライアント端末３に送る。ここで、出題質問群選択登録処理部１３は、試験、資格・検定、診断、検査、学習、アンケート等に分類して質問一覧情報Ｓ３を作成する。そして、クライアント端末３側にて例えば図６中のビジネスマナーの項目を選択した場合には、図７に示すように、データベース記憶部１２にて使用可能としているビジネスマナーの質問コンテンツの一覧を質問一覧情報Ｓ３として送る。
【００４２】
次に、クライアント端末３により、質問一覧情報Ｓ３を参照して質問コンテンツが複数選択されることを検出すると、選択された出題質問群選択情報Ｓ４を出題質問群選択登録処理部１３にて受信する。そして、出題質問群選択登録処理部１３では、出題質問群選択情報Ｓ４に基づいて、クライアントを識別する情報と出題質問群とを対応づけてデータベース記憶部１２に登録する（ステップＳＴ１２）。
【００４３】
次に、クライアントの要求に対して対象者端末２がクライアント端末３にアクセスし、分析要求Ｓ５をクライアント端末３に送ると、クライアント端末３では、先に選択した出題質問群により分析するための分析情報Ｓ６を対象者端末２に送る。なお、対象者がクライアント端末３にアクセスして分析情報Ｓ６を得て分析管理サーバ１にアクセスする例のみならず、クライアント端末３側から発行したパスワードやＩＤ等を電話やホームページ、メール等によって対象者に通知し、それらを使用して分析管理サーバ１にアクセスしても良い。
【００４４】
次に、対象者端末２では、分析情報Ｓ６を用いて分析管理サーバ１にアクセスする。すると、分析管理サーバ１の出題処理部１４では、分析情報Ｓ７からクライアントを識別し、クライアント端末３に対応した出題質問群をデータベース記憶部１２から読み出し、質問通知Ｓ８を対象者端末２に送る。これに応じて、対象者端末２では、対象者の操作に従って回答入力がなされると、回答情報Ｓ９を作成して分析管理サーバ１に送る。分析管理サーバ１では、回答情報Ｓ９を受信すると、回答登録処理部１５にて質問に対応させてデータベース記憶部１２に蓄積する。
【００４５】
そして、出題処理部１４、対象者端末２及び回答登録処理部１５は、質問通知Ｓ８と回答情報Ｓ９の送信、登録を繰り返すことで、分析管理サーバ１では、クライアント端末３が選択した出題質問群に含まれる全質問に対する回答情報Ｓ９を得る。
【００４６】
出題質問群に含まれる全質問に対する回答情報Ｓ９をデータベース記憶部１２に登録したと回答登録処理部１５により判定すると、データベース記憶部１２に蓄積した回答情報を用いて分析をし、分析結果出力処理部１６により分析結果を作成する。
【００４７】
そして、クライアント端末３から分析結果出力処理部１６に分析結果の問い合わせＳ１０が送られると、分析結果出力処理部１６により分析結果Ｓ１１をクライアント端末３に送り、その後に、分析管理サーバ１側がコンテンツ使用料及び分析結果閲覧料の支払い請求Ｓ１２をする。この支払い請求処理は、発生したコンテンツ使用料及び分析結果閲覧料を情報化するようにデータ処理してクライアント端末３側に自動的に提示する処理や、分析管理サーバ１の管理者にコンテンツ使用料及び分析結果閲覧料が発生したクライアントを通知する処理がある。
【００４８】
クライアントによりコンテンツ使用料及び分析結果閲覧料の支払いが実行されると、コンテンツ使用料の一部をコンテンツ提供側に支払いをする。この支払い処理は、支払い請求Ｓ１２による支払い請求処理をしたことによりクライアント端末３側からの支払いが完了した時点でコンテンツ提供側に支払いをすることを情報化するようにデータ処理してコンテンツ提供側に自動的に提示する処理や、分析管理サーバ１の管理者にコンテンツ提供側への支払いが発生したコンテンツ提供側を通知する処理がある。
【００４９】
このとき、分析管理サーバ１では、各質問コンテンツが使用された回数をカウントし、使用可能としている質問コンテンツと、この質問コンテンツが使用された回数とを対応づけてコンテンツ提供側に提示して、支払いをしても良い。これにより、コンテンツ提供側にて使用された質問コンテンツを認識すると共に、支払われた料金の確認等をすることができる。
【００５０】
このように分析結果を得たごとに支払いを請求して、入金を受けて確認した後にコンテンツ提供側に支払いをする場合のみならず、質問コンテンツを選択した時点で質問コンテンツの利用回数に応じて定額を分析管理サーバ１側からクライアント端末３側に請求し、その一部をコンテンツ提供側に支払いしても良い。
【００５１】
また、クライアントと分析管理サーバ１との間でコンテンツ使用料及び分析結果閲覧料を対象者端末２側から支払うものとした場合には、質問コンテンツに対する回答を得た時点で支払い請求をし、入金を受けた時点で分析結果をクライアント端末３側に提供する。
【００５２】
また、上述した分析結果提供システムでは、複数の質問コンテンツを連続して提示した場合に、分析管理サーバ１にて連続した回答を得て分析結果を作成するようにしても良く、更には、登録した質問群に含まれる複数の質問コンテンツを別々の日時に対象者端末２に提示した場合に、分析管理サーバ１にて日時が異なる回答を得て、時間的に前後する回答を組み合わせて分析結果を作成しても良い。
【００５３】
更に、上述した分析結果提供システムでは、複数の質問コンテンツからなる質問群の回答を組み合わせて分析する場合について説明したが、単一の質問コンテンツを対象者端末２にて提示して分析結果を得ることができるのは勿論である。
【００５４】
更にまた、上述した分析結果提供システムでは、複数の対象者と、単一の分析管理サーバ１、複数のコンテンツ提供側、複数のクライアントからなるものについて説明したが、この分析結果提供システムによれば、単一の対象者にて多種多様なコンテンツをセットで使用するシステム、多数の対象者を単一の質問コンテンツ提供側によりパックで分析するシステム、単一の受診者を１若しくは複数の質問コンテンツにて分析して多数のクライアントに提供するシステムにも適用できるのは勿論である。
【００５５】
更にまた、上述した分析結果提供システムでは、対象者端末２からの回答を使用して分析管理サーバ１にて分析する場合について説明したが、これに限らず、質問コンテンツの回答を分析管理サーバ１に送る他の方法としては、例えばスキャナなどを使用してマークシート形式等の紙に記載された回答や、回答に基づいてコンテンツ提供側等の第三者がした採点結果をデータ化して分析管理サーバ１に送る場合であっても上述と同様の効果を発揮させることができる。
【００５６】
［実施形態の効果］
このような処理をする分析結果提供システムによれば、コンテンツ提供装置４から多種多様な質問コンテンツを分析管理サーバ１にて使用可能とし、クライアント端末３の選択に応じて対象者を分析する出題質問群を登録することができ、クライアント端末３側の要求に応じた分析結果を提示することができる。
【００５７】
したがって、この分析結果提供システムによれば、コンテンツ提供装置４からの多種類の質問コンテンツを組み合わせて使用し、多種類の質問に対する回答を単一のプラットフォームにてクライアントに提供することができ、クライアント端末３側での人材分析を簡単に行うことができる。すなわち、クライアント端末３側でコンテンツ提供側のコンテンツを利用して分析結果を得る場合、各コンテンツ提供側ごとの分析結果を得ることができるが、複数のコンテンツ提供側の分析結果を組み合わせた分析をすることができないことが多い。これは、各コンテンツ提供側が使用しているデータフォーマットやプラットフォームが異なることによる。これに対し、この分析結果提供システムによれば、各コンテンツ提供側が提供した異なる質問コンテンツに対する回答を一括処理し、同一のデータフォーマット及び同一プラットフォームにて分析管理サーバ１で分析結果を作成することができ、更に、異なる質問コンテンツの分析結果を組み合わせた複合的な分析結果を得ることができる。これにより、質問に対する回答を得た対象者を他の対象者群（年齢別、業界別など）と比較する分析や、多種多様の質問コンテンツを組み合わせたグラフ等を作成した分析などを実現することができる。
【００５８】
したがって、この分析結果提供システムによれば、クライアントにとって最適な質問コンテンツを選択させ、多種多様な質問コンテンツを用いた多面的、複合的な分析が可能となる。
【００５９】
また、この分析結果提供システムでは、コンテンツ提供側の質問コンテンツを蓄積せずに、ＵＲＬのみを分析管理サーバ１側で管理している場合には、対象者端末２からの回答を蓄積して分析して他の質問コンテンツを組み合わせて分析結果を作成する。また、分析管理提供システムでは、ＵＲＬのみを管理している場合にコンテンツ提供側で回答に基づいた分析結果を作成する場合には、コンテンツ提供側から分析結果を分析管理サーバ１にて受信して他の分析結果を組み合わせた分析結果を作成するようにする。更に、例えば単一の質問コンテンツを使用して、この質問コンテンツを使用した分析結果を提示する場合に、分析結果を蓄積したサーバのＵＲＬ等を提示しても良い。更にまた、分析結果をメール配信しても良い。
【００６０】
また、この分析結果提供システムによれば、コンテンツ使用料及び分析結果閲覧料を分析管理サーバ１側にて得ると共に、コンテンツ使用料の一部をコンテンツ提供側にて得ることができる。
【００６１】
更に、分析管理サーバ１では、対象者端末２から回答を得たことに応じて、当該対象者端末２を操作する人材の価値変動をクライアントに提示することができる。
【００６２】
更に、この分析結果提供システムでは、組織等を構成する対象者を分析することにより、企業内の組織編成、人材配置・配属や、学校のクラス編成等をより効率且つ最適なものにすることができる。
【００６３】
更にまた、この分析結果提供システムによれば、分析管理サーバ１が公共機関が運営する就職仲介団体や学校の就職仲介機関に対する認証機関や指定機関となり、対象者端末２の分析結果に対する証明書を分析管理サーバ１により付与するビジネスを実現することができる。すなわち、この分析結果管理システムでは、公共機関が運営する就職仲介団体や学校の就職仲介機関が認定した会場等に対象者端末２を設置して回答を得て、回答を得るに際して発行したＩＤやパスワードに対応させた形態で回答及び分析結果をデータベース記憶部１２に登録しておく。ここで、分析管理サーバ１では、第三者から改竄されたり、外部に漏洩しない形態にて回答及び分析結果を蓄積しておくためのゲートウェイ等を設けておく。これにより、例えば企業等から公共機関が運営する就職仲介団体や学校の就職仲介機関に対象者の要求条件を提示したときに、分析管理サーバ１により対象者の分析結果等を記した証明書として分析結果を提示することができる。
【００６４】
なお、上述の一例では、クライアント端末３側にのみ分析結果を提供するようにしたが、対象者にも分析結果を提供するようにしても良い。この場合、クライアント及び対象者に同じ内容の分析結果を提供しても良く、異なる内容の分析結果を提供しても良い。例えば、クライアント端末３側には他の対象者と相対的に評価した分析結果を提供し、その相対的に評価した分析結果を除いた分析結果を対象者に提供する。
【００６５】
また、この分析結果提供システムでは、クライアントと分析管理サーバ１との契約により、例えば対象者の自己啓発や能力確認等を目的として、クライアントが選択した質問コンテンツを対象者に利用可能としてもよい。この場合、分析結果を対象者のみに提示することも可能になる。
【００６６】
［分析結果提供システムの他の分析処理］
つぎに、上述の分析処理の他の手法について説明する。
【００６７】
この分析処理では、分析管理サーバ１を活用するポータルサイトに対象者端末２がアクセスした場合に、図８に示すように、データベース記憶部１２に登録されているクライアント名２１を提示すると共に、このクライアントが登録した基準の一例であるテーマ２２を提示し、対象者端末２側にクライアント名２１又はテーマ２２を選択させる。このテーマ２２としては、人材募集をするテーマ、業界、職種、職場環境等がある。また、テーマ２２は、分析管理サーバ１側にて作成したものを提示しても良く、クライアントから要求されたものを使用しても良い。このようにテーマを分析管理サーバ１側にて設定した場合、基準（テーマ）をクライアント端末３側に提示して登録を募り、登録したクライアントとテーマとを対応づけて記憶する。また、図８では、基準に対して登録したクライアントを対象者端末２にて提示する場合について示したが、基準（テーマ）のみを提示しても良い。
【００６８】
対象者端末２にてクライアント名２１を選択した場合、分析管理サーバ１では、データベース記憶部１２からクライアントにて選択している出題質問群を出題処理部１４より読み出して、質問通知をして回答情報を回答登録処理部１５により得る。
【００６９】
一方、対象者端末２にてテーマ名２２を選択した場合、出題処理部１４では、図９に示すように、例えばＩＴ業界に対応した技術診断テスト、ＸＸ社ビジネスマナー、ＺＺ社一般常識などの出題質問群をデータベース記憶部１２から読み出して、質問通知をして回答情報を回答登録処理部１５により得る。
【００７０】
また、図９に示すテーマごとの出題質問群は、クライアント端末３側に提示することもでき、各クライアントに対象者端末２が直接アクセスしない場合であっても、特定のテーマを希望する対象者を獲得するに際してクライアント端末３にて登録することができる。この場合、データベース記憶部１２では、テーマ名、出題質問群に対応させて、クライアントを登録しておき、テーマを指定して分析結果を得た場合に、登録したクライアントに分析結果を閲覧可能とする。
【００７１】
ここで、各テーマに対応した出題質問群は、例えば人材分析管理者により各テーマに適する質問コンテンツを予め選択しておいてデータベース記憶部１２に登録してあり、クライアント端末３からの要求により分析結果を得ることができるようにする。
【００７２】
このような分析結果提供システムによれば、各クライアント端末３ごとに出題質問群を設定すると共に、テーマごとに出題質問群を設定するので、対象者端末２が同一テーマに登録したクライアントから回答を要求される場合に、対象者がクライアントごとに何度も同じような質問を受けることで、分析結果の信頼性を下げることを防止することができる。すなわち、同一の対象者が同じ質問を複数回受けることによる質問に対する慣れや、対象者が質問の対応をして対象者の能力に応じた的確な分析結果を得ることができなくなることを防止することができる。更に、対象者にとっては同じような質問を複数回受ける必要が無くなり、負担が少なくなる。
【００７３】
また、この分析結果提供システムによれば、異なるコンテンツ提供側から提供された質問コンテンツをクライアントにて選択した場合であっても、異なる質問コンテンツに対する回答を組み合わせた単一の分析結果を作成して、クライアントに提示することができる。
【００７４】
更に、この分析結果提供システムによれば、対象者端末２側にてテーマ単位で就職活動をする場合においても、テーマごとの試験等を一度だけ分析することで、複数のクライアントに分析結果を提示することができる。
【００７５】
更にまた、この分析結果提供システムによれば、クライアント端末３ごとに出題質問群を選択させる手間を省かせることができ、より高いサービスをクライアント端末３側に提供することができる。
【００７６】
更にまた、この分析結果提供システムによれば、一の対象者に対して複数のクライアントに分析結果を提供するときに、各クライアントが選択した複数の質問コンテンツが重複している場合には各質問コンテンツを１回のみ対象者に提示して回答をえるようにすることもできる。このとき、分析管理サーバ１では、対象者が過去に受けた質問コンテンツを認識しておく。これにより、対象者の分析結果を複数のクライアントで要求する場合でも同じ質問を何回も受けさせることを無くすことができる。
【００７７】
［分析結果提供システムによるクライアント格付け処理］
また、上述した一例では、対象者がクライアントへの就職等を希望する場合に出題質問群を対象者端末２に提示して回答情報を得る場合について説明したが、クライアント内の社員や役員を対象者にした場合に、分析管理サーバ１にてクライアントの格付けを行うことができる。
【００７８】
すなわち、分析管理サーバ１では、クライアント又は人材分析管理者により選択した出題質問群をクライアント内の社員や役員に回答させ、分析結果を用いてクライアントの人材資源格付けをする。そして、例えば図１０に示すように、クライアント名３１、分析結果３２、人材資源格付け３３及び格付けの動向３４を対応づけた格付けデータを作成するデータ処理をする。
【００７９】
この格付けデータは、例えば投資家情報として分析管理サーバ１に蓄積しておき、クライアントを評価するに際しての指標とする。分析管理サーバ１では、例えば投資家などから格付けデータの閲覧要求が発生した場合、格付けデータの閲覧件数（クライアント数）に応じてデータ提供料金を発生させるというビジネスを実現することができる。
【００８０】
また、この格付け処理は、クライアントの社員の分析をしてクライアントの格付けをする場合について説明したが、これに限らず、例えば学校の生徒や先生などを分析して学校等を格付けして、入学等の指標にさせる場合でもよい。更に、この格付け処理は、クライアントとは異なる集団を分析する場合でも良く、更には、外部からの依頼に応じてクライアントを分析して格付けをしても良い。
【００８１】
［分析結果提供システムの他の実施形態］
つぎに、本発明を適用した他の分析結果提供システムについて説明する。なお、上述した分析結果提供システムと同様の処理や、説明を省略するが、後述の各部にて処理可能であることは勿論である。
【００８２】
この分析結果提供システムは、図１１に示すように、クライアント端末３を備えず、対象者端末２にてデータベース記憶部１２に使用可能なものとして登録した質問コンテンツを選択する。このとき、出題質問群選択登録処理部１３では、上述と同様に、図６及び図７に示すような情報を提示する。そして、分析管理サーバ１では、質問に対する回答から分析結果を作成して分析結果出力処理部１６から対象者端末２に送る。
【００８３】
このような分析結果提供システムの動作を図１２に示す。この分析結果提供システムでは、ステップＳＴ１１にて質問コンテンツをデータベース記憶部１２に登録した状態で、対象者端末２から質問問い合わせＳ２が発生すると、出題質問群選択登録処理部１３から質問一覧Ｓ３を対象者端末２に送る。そして、対象者端末２にて出題質問群選択情報Ｓ４を選択すると、ステップＳＴ１２にて選択された質問コンテンツを登録し、質問通知Ｓ８及び回答情報Ｓ９のやりとりをする。
【００８４】
そして、対象者端末２にて分析結果問い合わせＳ１０を分析管理サーバ１にすると、分析結果Ｓ１１を分析管理サーバ１から対象者端末２に送り、次いで、分析管理サーバ１から対象者端末２に支払い請求Ｓ１２を送る。これにより、対象者端末２側では、質問に対する回答をしたことによる分析結果を得ると共に、質問コンテンツを使用して分析結果を得たことによる支払いが発生したことを認識する。
【００８５】
次に、対象者端末２側にて支払い請求Ｓ１２に応じた支払い処理がなされて分析管理サーバ１にて入金を受けた場合には、コンテンツ提供装置４に支払いＳ１３が発生し、分析管理サーバ１からコンテンツ提供側に支払い処理をする。
【００８６】
このような分析結果提供システムでは、質問一覧Ｓ３を対象者端末２側に提示するに際して、例えばある業界や企業、学校等に入るに際して自己診断する質問コンテンツを明示したり、評価や評判の高い質問コンテンツを明示することで、業界や企業、学校等に対する模擬試験等を実施させることができる。
【００８７】
なお、図１２に示した一例では、分析結果を対象者に提供した後に支払い請求をし、入金を受けた後にコンテンツ提供側にコンテンツ使用料の一部を支払うようにしたが、これに限らず、分析結果を提供する前に対象者に支払い請求をしても良く、更には出題質問群を選択した時点で支払い請求をしても良い。これにより、対象者の未払いを防止することができる。
【００８８】
また、この他の実施形態に係る分析結果提供システムによれば、分析管理サーバ１が発行する受診ＩＤやパスワード等の不変の情報とと共に、対象者ごとに分析結果を蓄積しておき、対象者の要求に応じて分析管理サーバ１が対象者の分析結果に対する証明書を付与するビジネスを実現することができる。
【００８９】
【発明の効果】
本発明によれば、コンテンツ提供装置から多種多様な質問コンテンツを使用可能とし、クライアントや対象者の選択に応じて対象者を分析する出題質問群を登録することができ、クライアントや対象者の要求に応じた分析結果を提示することができる。したがって、本発明によれば、コンテンツ提供装置からの多種類の質問コンテンツを組み合わせて使用したビジネスを実現することができる。すなわち、本発明によれば、コンテンツ使用料及び分析結果閲覧料を得ると共に、コンテンツ使用料の一部をコンテンツ提供装置側にて得ることができる。
【図面の簡単な説明】
【図１】本発明を適用した分析結果提供システムの機能的な構成を示すブロック図である。
【図２】本発明を適用した分析結果提供システムにおいて、一般常識と技術診断を組み合わせた偏差チャートを分析結果として作成することを説明するための図である。
【図３】本発明を適用した分析結果提供システムにおいて、偏差値を算出する範囲を対象者Ａ〜Ｓ以外の業界のトップパフォーマに対象者を広げて対象者Ａ〜Ｓを分析した場合の偏差チャートを分析結果として作成することを説明するための図である。
【図４】一般常識や技術診断を更に複数のカテゴリに分割したカテゴリチャートを分析結果として作成することを説明するための図である。
【図５】本発明を適用した分析結果提供システムによる分析処理の処理手順を示すフローチャートである。
【図６】データベース記憶部に登録されている質問コンテンツの種類について説明するための図である。
【図７】質問コンテンツの種類ごとに使用可能とした質問コンテンツについて説明するための図である。
【図８】人材分析管理サーバに登録されている企業をテーマごとに対象者端末に提示することを説明するための図である。
【図９】テーマごとに登録された出題質問群について説明するための図である。
【図１０】クライアントごとの人材資源格付け及びその動向を説明するための図である。
【図１１】本発明を適用した他の分析結果提供システムの機能的な構成を示すブロック図である。
【図１２】本発明を適用した他の分析結果提供システムによる分析処理の処理手順を示すフローチャートである。
【符号の説明】
１　分析管理サーバ
２　対象者端末
３　クライアント端末
４　コンテンツ提供装置
１１　質問登録処理部
１２　データベース記憶部
１３　出題質問群選択登録処理部
１４　出題処理部
１５　回答登録処理部
１６　分析結果出力処理部
２１　クライアント名
２２　テーマ名
３１　クライアント名
３２　分析結果
３３　人材資源格付け
３４　動向
【図１】
2004110502.tif 000003
【図２】
2004110502.tif 000004
【図３】
2004110502.tif 000005
【図４】
2004110502.tif 000006
【図５】
2004110502.tif 000007
【図６】
2004110502.tif 000008
【図７】
2004110502.tif 000009
【図８】
2004110502.tif 000010
【図９】
2004110502.tif 000011
【図１０】
2004110502.tif 000012
【図１１】
2004110502.tif 000013
【図１２】
2004110502.tif 000014